(57)【要約】      （修正有）【課題】単に充電パッド上に携帯端末を載置するだけで充電が可能であり、着信等によるバイブレーターの振動などで、充電器上の携帯端末が移動しないように確実に支持させ、充電することのできるワイヤレス電力伝送方式の充電器のカバーを提供する。【解決手段】カバー１は、充電器４０の充電パッド４２を内部に装着可能なカバー本体１０を備え、カバー本体には、カバーに充電パッドを装着した際に、スマートウォッチ等の携帯端末を載置する充電パッドの載置面周縁にエラストマー製のカバー周縁部１４を設けた。【選択図】図１０
0003226508.tif 000002
【実用新案登録請求の範囲】
【請求項１】
スマートフォン・スマートウォッチ等の携帯端末等のワイヤレス充電方式の充電器のカバーであって、
充電器の充電パッドを内部に装着可能なカバー本体を備え、前記カバー本体には、前記カバーに前記充電パッドを装着した際に、前記充電パッドの前記携帯端末等を載置する載置面の周縁に位置されるカバー周縁部を備えたスマートフォン・スマートウォッチ等の携帯端末等のワイヤレス充電方式の充電器のカバー。
【請求項２】
前記カバー周縁部はゴム等のエラストマー製である請求項１に記載のスマートフォン・スマートウォッチ等の携帯端末等のワイヤレス充電方式の充電器のカバー。
【請求項３】
前記カバー周縁部の内側には、前記充電パッドを露呈可能な開口部が設けられている請求項１又は請求項２に記載のスマートフォン・スマートウォッチ等の携帯端末等のワイヤレス充電方式の充電器のカバー。
【請求項４】
前記カバー周縁部は、前記カバー本体に前記充電パッドが装着された状態において、前記カバー周縁部の表面と前記装着された充電パッドの表面とが同一の高さとなるように形成された請求項１から請求項３のいずれかに記載のスマートフォン・スマートウォッチ等の携帯端末等のワイヤレス充電方式の充電器のカバー。
【請求項５】
スマートフォン・スマートウォッチ等の携帯端末等のワイヤレス充電方式の充電器のカバーであって、
充電器の充電パッドを内部に装着可能なカバー本体を備え、前記カバー本体には、前記カバーに前記充電パッド器を装着した際に、前記充電パッドの前記携帯端末等を載置する載置面の周縁に位置されるカバー周縁部を備え、前記カバー周縁部はゴム等のエラストマー製であり、前記カバー周縁部の内側には、前記充電パッドを露呈可能な開口部が設けられ、前記カバー周縁部は、前記カバー本体に前記充電パッドが装着された状態において、前記カバー周縁部の表面と前記装着された充電パッドの表面とが同一の高さとなるように形成されたスマートフォン・スマートウォッチ等の携帯端末等のワイヤレス充電方式の充電器のカバー。
【考案の詳細な説明】
【技術分野】
【０００１】
この考案は、充電器カバーに関し、特に携帯端末やスマートウォッチ等の充電に用いるワイヤレス充電方式の充電器のカバーに関する。
【背景技術】
【０００２】
従来、電源ケーブルを備え電源コンセントに接続し、携帯端末やスマートウォッチ等（以下「携帯端末等」）に充電をする「ワイヤレス電力伝送方式」又は「非接触式電力伝送方式」と称される充電方式（以下「ワイヤレス充電方式」）の充電器が知られている。これらの充電器は携帯端末等にケーブルを直接接続せず、充電器本体の上側に携帯端末等を載置して充電をすることしているものが多い。そして、このようなタイプの充電器は携帯端末等を平置きにして使用されるものが多い。ワイヤレス充電方式の充電器では、充電器本体の充電パッドと、携帯端末等の中のコイルの位置が合っていないと、充電できなかったり、充電時間が長くかかることがある。多くの充電器では充電パッドの中央に携帯端末等を載置すると、充電パッドとコイルの位置が合う仕様になっている（特許文献１等）。
【先行技術文献】
【特許文献】
【０００３】
【特許文献１】特開２０１３−１１０９１５号公報（図１等）
【考案の概要】
【考案が解決しようとする課題】
【０００４】
上記した充電器では、ケーブルを接続して充電する充電器とは異なり、充電器と携帯端末等は直接接続されておらず、単に充電パッド上に携帯端末等を載置するだけで充電が可能となるようにされている。しかしながら、このような利便性を備えている反面、充電パッド上に携帯端末等を載置して充電をしている際に、着信等によるバイブレーターの振動や、誤ってケーブル等に接触することにより、充電器上の携帯端末等が移動してしまい、充電が十分にできなくなるおそれがあった。
【０００５】
本考案が解決しようとする目的は、前述の問題点を解決するものであり、単に充電パッド上に携帯端末等を載置するだけで充電が可能となる利便性を損なわない一方で、着信等によるバイブレーターの振動や、誤ってケーブル等に接触することなど、充電器上の携帯端末等が容易には移動しないように携帯端末等を充電パッド上により確実に支持させ、充電を確実にすることのできるワイヤレス電力伝送方式の充電器のカバーを提供することを目的とする。
【課題を解決するための手段】
【０００６】
上記課題を解決するものは以下のものである。
（１）本考案の第一のスマートフォン・スマートウォッチ等の携帯端末等のワイヤレス充電方式の充電器のカバーは、
充電器の充電パッドを内部に装着可能なカバー本体を備え、前記カバー本体には、前記カバーに前記充電パッドを装着した際に、前記充電パッドの前記携帯端末等を載置する載置面の周縁に位置されるカバー周縁部を備えたスマートフォン・スマートウォッチ等の携帯端末等のワイヤレス充電方式の充電器のカバー。
【０００７】
本考案に言う「携帯端末等」は、スマートフォン・スマートウォッチの他、携帯電話、ワイヤレス方式イヤフォン・ヘッドフォンを含む。充電パッド上に携帯端末等を載置して充電をする際に、本考案のカバーの内部に充電パッドを装着した状態で、充電パッドの載置面の周縁に位置されるカバー周縁部を設けている。このため、携帯端末等の充電時にカバー周縁部も載置された携帯端末等を支持できる。よって、振動その他の何らかの理由により充電パッドの載置面上の充電中の携帯端末等の位置がずれたり、充電パッド上から落下するなどのおそれを減少させることができる。したがって、充電が十分にできなくなるおそれを低減することができる。
【０００８】
（２）本考案の第二のスマートフォン・スマートウォッチ等の携帯端末等のワイヤレス充電方式の充電器のカバーは、前記カバー周縁部はゴム等のエラストマー製である（１）に記載のスマートフォン・スマートウォッチ等の携帯端末等のワイヤレス充電方式の充電器のカバー。
（３）本考案の第三のスマートフォン・スマートウォッチ等の携帯端末等のワイヤレス充電方式の充電器のカバーは、前記カバー周縁部の内側には、前記充電パッドを露呈可能な開口部が設けられている（１）又は（２）に記載のスマートフォン・スマートウォッチ等の携帯端末等のワイヤレス充電方式の充電器のカバー。
（４）本考案の第四のスマートフォン・スマートウォッチ等の携帯端末等のワイヤレス充電方式の充電器のカバーは、前記カバー周縁部は、前記カバー本体に前記充電パッドが装着された状態において、前記カバー周縁部の表面と前記装着された充電パッドの表面とが同一の高さとなるように形成された（１）から（３）のいずれかに記載のスマートフォン・スマートウォッチ等の携帯端末等のワイヤレス充電方式の充電器のカバー。
（５）本考案の第五のスマートフォン・スマートウォッチ等の携帯端末等のワイヤレス充電方式の充電器のカバーは、充電器の充電パッドを内部に装着可能なカバー本体を備え、前記カバー本体には、前記カバーに前記充電パッド器を装着した際に、前記充電パッドの前記携帯端末等を載置する載置面の周縁に位置されるカバー周縁部を備え、前記カバー周縁部はゴム等のエラストマー製であり、前記カバー周縁部の内側には、前記充電パッドを露呈可能な開口部が設けられ、前記カバー周縁部は、前記カバー本体に前記充電パッドが装着された状態において、前記カバー周縁部の表面と前記装着された充電パッドの表面とが同一の高さとなるように形成されたスマートフォン・スマートウォッチ等の携帯端末等のワイヤレス充電方式の充電器のカバー。
【考案の効果】
【０００９】
本考案のスマートフォン・スマートウォッチ等の携帯端末等のワイヤレス充電方式の充電器のカバーは、上記したように、充電器の充電パッドを内部に装着可能なカバー本体を備え、前記カバー本体には、前記カバーに前記充電パッド器を装着した際に、前記充電パッドの前記携帯端末等を載置する載置面の周縁に位置されるカバー周縁部を備えている。よって、携帯端末等の充電時にカバー周縁部も載置された携帯端末等を支持でき、振動その他の何らかの理由により充電パッドの載置面上の充電中の携帯端末等の位置がずれたり、充電パッド上から落下するなどのおそれを減少させることができる。したがって、充電が十分にできなくなるおそれを低減することができる。
【図面の簡単な説明】
【００１０】
【図１】図１は、本考案の充電器のカバーの正面図である。
【図２】図２は、本考案の充電器のカバーの背面図である。
【図３】図３は、本考案の充電器のカバーの右側面透視図である。
【図４】図４は、本考案の充電器のカバーの底面透視図である。
【図５】図５は、本考案の充電器のカバーの背面側下部の斜視図である。
【図６】図６は、本考案の充電器のカバーの背面側下部の斜視図である。
【図７】図７は、充電器の取り付け方を示す本考案の充電器のカバーの右側面透視図である。
【図８】図８は、充電器を取り付けた本考案の充電器のカバーの右側面透視図である。
【図９】図９は、充電器を取り付けた本考案の充電器のカバーの背面側下部の斜視図である。
【図１０】図１０は、充電器を取り付けた本考案の充電器のカバーの斜視図である。
【図１１】図１１は、充電状態を示すスマートウォッチ及び充電器を取り付けた本考案の充電器のカバーの説明図である。
【考案を実施するための形態】
【００１１】
本考案のスマートフォン・スマートウォッチ等の携帯端末等のワイヤレス充電方式の充電器のカバーについて、図面を参照して詳細に説明する。本考案の携帯端末等の充電器のカバー１は、図１から図４に示されるように、カバー本体１０とケーブル保持部２０とを備えている。そして、カバー本体１０内に、後述するワイヤレス充電方式の充電器４０の充電パッド４２を装着・取り付け可能であり、ケーブル保持部２０内に、充電器４０のケーブル４４を挿通保持することができる。カバー本体１０は、正面視円形で、薄い円柱状に形成されている。ケーブル保持部２０は、カバー本体１０の下部から、下方に向けて、カバー本体１０の高さの約半分の長さに突出された四角柱状に形成されている。
【００１２】
図１から図４に示されるように、カバー本体１０の内側の部位に充電パッド４２を装着できる装着凹部１２が形成されている。装着凹部１２のカバー本体１０の正面側（すなわち図１に示すように、スマートウォッチＳを充電パッド４２上に載置した際に、スマートウォッチＳと接するカバー１の上側）には、装着凹部１２からカバー本体１０外側に開口する開口部１３が設けられている。装着凹部１２及び開口部１３は、カバー本体１０の正面側において、ほぼ真円形状に形成されている。
【００１３】
図８及び図１０に示されるように、装着凹部１２には充電器４０の充電パッド４２が問取り付け可能である。装着凹部１２の形状は充電パッド４２よりわずかに小さい大きさとされている。そしてカバー１はゴム製であり、充電パッド４２が装着凹部１２から容易には脱落しないように構成されている。そして、装着凹部１２の正面側には開口部１３が開口されており、充電パッド４２が装着凹部１２に取り付けられた状態で、開口部１３から充電パッド４２が露呈される。また、装着凹部１２の奥端（図３における右端）から、装着凹部１２の前端（図３における左端）までの長さは、充電パッド４２の厚みとほぼ同じに形成されている。
【００１４】
開口部１３の周りには、カバー本体１０に周設されたカバー周縁部１４が形成されている。カバー周縁部１４は、正面視においてその外形がほぼ円形上に形成されており、上部においては、その外形周方向に沿ってほぼ等間隔に、４つの膨出部１５が形成されている。前述したように、装着凹部１２の奥端（図３における右端）から、装着凹部１２の前端（図３における左端）までの長さは、充電パッド４２の厚みとほぼ同じに形成されているので、カバー周縁部１４も、装着凹部１２の奥端から充電パッド４２の厚みとほぼ同じ位置に形成されていることになる。よって、図８に示されるように、充電パッド４２が装着された状態では、充電パッド４２の表面とカバー周縁部１４の表面とが、ほぼ同位置に配置されることになる。また、装着凹部１２の奥端下方には、横長円形状の奥端開口部１６が開口されている。
【００１５】
カバー本体１０から延設されたケーブル保持部２０は、装着凹部１２内に装着された充電パッド４２に連設されているケーブル４４をその内部に挿通して保持固定するための部位である。ケーブル保持部２０は、図５及び図６にも示すように、その外形は四角柱状に形成されている。
【００１６】
ケーブル保持部２０には、その長手方向に沿って、ケーブルを挿通させる孔状の挿通孔２２が形成されている。挿通孔２２は、その上端がカバー本体１０の装着凹部１２内に開口されており、その下端はケーブル保持部２０の下端面に開口されており、装着凹部１１２内からケーブル保持部２０の下端面にかけて連通されている。
【００１７】
ケーブル保持部２０の背面側には、ケーブル保持部２０の長手方向に沿って切り込み２４が形成されている。切り込み２４は、ケーブル保持部２０の背面側において、装着凹部１２からケーブル保持部２０の下端面にかけて形成されている。この切り込み２４は、例えばカッターなどにより切断することにより形成することができる。
【００１８】
以上のように構成されたカバー１には、充電器４０を以下のように取り付ける。図７に示されるように、充電器４０のケーブル４４をカバー１の装着凹部１２奥端の奥端開口部１６の背面側に挿通させる。充電パッド４２はカバー１の正面側に位置させたままとする。次いで、図８及び図９に示されるように、充電パッド４２を装着凹部１２内に挿嵌するとともに、ケーブル４４を切り込み２４を介して挿通孔２２内に圧入して、充電器４０をカバー１内に取り付ける。
【００１９】
上記の通り、装着凹部１２は、カバー１全体と同様にゴム製とされており、その形状が充電パッド４２よりわずかに小さい大きさに形成されているので、装着された充電パッド４２は装着凹部１２から容易には脱落しない。また、切り込み２４の幅はケーブル４４の外径よりも小さい幅に形成されているので、圧入したケーブル４４が切り込み２４から容易には外れないように構成されている。
【００２０】
このようにして充電器４０が取り付けられたカバー１の正面側を、図１１に示されるように充電パッド４２と共に上に向け、充電パッド４２上に携帯端末等（本例ではスマートウォッチＳ）を載置して充電を行う。この際に、図１０等に示されるように、充電パッド４２の外周よりも外側に位置するカバー周縁部１４がスマートウォッチＳを支持することができるので、充電パッド４２単体でスマートウォッチＳを支持するよりも、スマートウォッチＳをより確実に支持することができる。よって、振動等により充電パッド４２上でスマートウォッチＳが位置ずれを起こしたり、場合によってはスマートウォッチＳが充電パッド４２上から脱落するおそれを低減することができる。したがって、スマートウォッチＳの充電が十分にできなくなるおそれを低減することができる。特に、カバー周縁部１４はゴム等のエラストマー製であり軟質素材であるため、スマートウォッチＳへの密着度が高く、位置ずれ等をより確実に防止できる。
【００２１】
また、装着凹部１２には開口部１３が設けられており、充電パッド４２を露呈させることができ、他の部材を間に介在させることなく充電が可能であり、充電をより確実に行わせることができる。また、装着凹部１２の奥端（図３における右端）から、装着凹部１２の前端（図３における左端）までの長さは、充電パッド４２の厚みとほぼ同じに形成されており、カバー周縁部１４も、装着凹部１２の奥端から充電パッド４２の厚みとほぼ同じ位置に形成されていることになっているので、充電パッド４２が装着された状態では、充電パッド４２の表面がカバー周縁部１４の表面とほぼ同位置に配置されることになっており、このため充電パッド４２をスマートウォッチＳに直接接触させることが可能か、又は直接近付けることが可能であり、充電をより確実に行うことができる。
【００２２】
また、充電器４０の取り付け後には、ケーブル保持部２０によってケーブル４４が被覆され収容保持されている。よって、特にカバー１に充電器４０を取り付けたまま使用するなどすれば、周辺部材のケーブル４４への接触・圧迫等によりケーブル４４が損傷するおそれを低減することができる。
【００２３】
本考案は前述の例に限られず、本考案の主旨の範囲内で適宜の変更が可能である。例えば、カバー周縁部の厚み（カバー１の前後方向の厚み）は、携帯端末等を支持するためには、装着された充電パッド４２が同一位置となるような厚みが望ましいが、カバー周縁部の正面視の形状は、他の種々の形状に変更することができる。また、同様に携帯端末等のより確実な支持のためにはエラストマー製であることが望ましいが、他の素材とすることも可能である。
【産業上の利用可能性】
【００２４】
本考案は、スマートフォン・スマートウォッチ等の携帯端末等のワイヤレス充電方式の充電器のカバーについて広く用いることができる。
【符号の説明】
【００２５】
１；カバー、１０：カバー本体、１２；装着凹部、１３；開口部、１４；カバー周縁部、１５；膨出部、１６；奥端開口部、２０；ケーブル保持部、２２；挿通孔、２４；切り込み，４０；充電器、４２；充電パッド、４４；ケーブル、Ｓ；スマートウォッチ。
【図１】
0003226508.tif 000003
【図２】
0003226508.tif 000004
【図３】
0003226508.tif 000005
【図４】
0003226508.tif 000006
【図５】
0003226508.tif 000007
【図６】
0003226508.tif 000008
【図７】
0003226508.tif 000009
【図８】
0003226508.tif 000010
【図９】
0003226508.tif 000011
【図１０】
0003226508.tif 000012
【図１１】
0003226508.tif 000013